(57)【特許請求の範囲】
【請求項１】
合成樹脂シ−トで形成した容器本体に薄肉に形成した外側が溝状にへこんで溝状の折り目を設けて前記容器本体を折り畳み可能としたことを特徴と釣り用容器。
【請求項２】
折り目は容器本体の少なくとも周面の対向位置に設けたことを特徴とする請求項１記載の釣り用容器。
【発明の詳細な説明】
【０００１】
【発明の属する技術分野】
本発明は、容器本体の周面の所定位置を折り曲げて折り畳みできる釣り用容器の改良に関する。
【０００２】
【従来の技術】
従来から撒き餌入れ、水汲み用バケツ、生き餌や釣れた魚入れ容器として柔軟性を有する非透湿性の合成樹脂シ−トで形成した釣り用容器が使用されている。
これらの容器は広げた場合にこれを形成する合成樹脂シ−トの弾性で側壁が立ち上がった状態を維持し、自立性を有している。
これらの容器を持ち運ぶときは側壁を押しつぶすようにして折り畳むことが出来るが、１度広げてしまうと折り跡が無くなってしまうため、折り畳みの目安とするものが無くその都度適当に押しつぶして畳んでいたため収納性よく折り畳むことが出来なかった。
また、折り癖が付いてしまうと容器本体を広げたときに、折り癖が付いた部分が十分に広がらなくなってしまうという欠点があった。
【０００３】
実公平４−４３１９１号公報には、バケツの一方側に複数本の折り目を設けて蛇腹状に形成し、折り目側に倒れやすくした水汲み用バケツが紹介されている。
このバケツは水を汲むときに便利であるが、物を収納したり、撒き餌を入れたとき周囲が蛇腹状に歪んでいるため収納性が悪く、容器を広げておこうとした時も折り目側に倒れてしまい、容器を自立した状態で使用することは出来ない。
【０００４】
【発明が解決しようとする課題】
解決しようとする問題点は、従来の釣り用バケツ等の釣り用容器は、１度広げてしまうと折り跡が無くなってしまうため、折り畳みの目安とするものが無くその都度適当に押しつぶして畳んでいたため収納性よく折り畳むことが出来ないこと。
また、折り癖が付いてしまうと容器本体を広げたときに、折り癖が付いた部分が十分に広がらなくなってしまうこと。
実公平４−４３１９１号公報の水汲みバケツは、物を収納したり、撒き餌を入れたとき周囲が蛇腹状に歪んでいるため収納性が悪く、容器を広げておこうとした時も折り目側に倒れてしまい、容器を自立した状態で使用することは出来ないこと。
である。
【０００５】
本発明の目的は前記欠点に鑑み、容器本体の周面の所定位置に折り目を設けて広げた時に物が効率よく収納可能な釣り用容器を提供することである。
【０００６】
上記課題を解決するために、請求項１に係わる本発明は、合成樹脂シ−トで形成した容器本体に薄肉に形成した外側が溝状にへこんで溝状の折り目を設けて前記容器本体を折り畳み可能としたことを要旨とするものである。請求項２に係わる本発明は、折り目は容器本体の少なくとも周面の対向位置に設けたことを要旨とするものである。
【０００７】
【発明の実施の形態】
請求項１の本発明により、容器本体１、１′、１″に薄肉に形成した溝状の折り目１ｅ、１ｆ、１ｇを設けたため、折り目１ｅ、１ｆ、１ｇに沿って容易に折り畳むことが出来ると共に、容器本体１、１′、１″を広げた状態で容器本体１、１′、１″が自立することが出来る。
請求項２の本発明により、折り目１ｅ、１ｆ、１ｇが容器本体１、１′、１″の少なくとも周面１ｂの対向位置に設けられていると、折り畳む時対向する周面を一緒に折曲して容易に折り畳むことが出来る。
【０００８】
【実施例】
以下、本発明の実施例を図面に基づき説明すると、図１から図３は第１実施例で、図１は釣り用容器の斜視図、図２は釣り用容器が折り畳まれた斜視図、図３は釣り用容器のハンドル止着部と容器本体の断面側面図と（ａ）はハンドルとハンドル止着部の拡大断面側面図で（ｂ）は容器本体の要部拡大断面側面図である。
【０００９】
釣り用容器は円筒形の容器本体１の上方の開口１ａの側の周面１ｂに対向してハンドル止着部２、２が固定されてハンドル止着部２、２の透孔にハンドル３の両回動部が回動可能に嵌合されると共に、開口１ａ上方をア−チ状に跨ぐように架設されている。
すなわち、ハンドル３は容器本体１の外側に倒れるように容器本体１に対し回動可能に設けられている。
容器本体１は、例えばエチレン酢酸ビニ−ルや塩化ビニ−ル等の合成樹脂製シ−トで形成され防水性と柔軟性を有している。
【００１０】
容器本体１は上記の合成樹脂シ−トから成る周囲の周面１ｂの一側と他側が重ねられて高周波溶着等で溶着固定され、周面１ｂの下端に同様の合成樹脂シ−トから成る底面１ｃの周囲が高周波溶着等で溶着固定されて開口が円形に形成されている。
容器本体１の周面１ｂの開口縁に金属線４が周面１ｂを形成するシ−ト材で包み込まれ、周面１ｂは開口１ａにおいて内側から外側へ折り返されて折り返し部１ｄが周面１ｂに縫着や高周波溶着等で固定されている。
容器本体１の周面１ｂ外側には、開口１ａ側から底面１ｃ側に向かい容器本体１の周方向に傾斜した溝状の折り目１ｅが複数本略等間隔で周面のいずれの側にも存在するように対向して形成されて容器本体１は高さ方向で折り畳み可能に形成されている。
【００１１】
溝状の折り目１ｅの幅は１ｍｍから２０ｍｍで、溝状の折り目１ｅが形成された周面より薄肉に形成されて折曲しやすくなっており、なお、肉厚は周面１ｂの９０〜３０％の厚みが好ましい。
溝状の折り目１ｅは主に熱プレスや高周波成形で形成されている。
溝状の折り目１ｅが熱プレスで形成されると、一側がくぼんで他側が突出するか又は両側がくぼむと共に折り目１ｅが薄肉に形成される。
溝状の折り目１ｅが高周波成形で形成されると、一側面のみへこんで他側は平面状かわずかな成形跡ができるだけで薄肉に形成される。
上記いずれで形成してもよいが、図３（ｂ）は高周波成形で外側が溝状にへこんで溝状の折り目１ｅが形成されると、折り目１ｅが容器本体１の内側へ折曲されて、外側への突出が少なく折り畳みでき、又内側の突出、へこみがなく、平面状のため、撒き餌がたまることがない。
【００１２】
ハンドル止着部２は、例えばエチレン酢酸ビニ−ルや塩化ビニ−ル等で側面凸字形に下端部２ａと上端部２ｂと中間部２ｃで形成されて上端部２ｂに楕円形の透孔２ｄが形成されると共に透孔２ｄから下端部２ａまで図示しない切り欠きが形成されている。
中間部２ｃは折り返し部１ｄの外形に沿って屈曲形成され、下端部２ａは折り返し部１ｄと周面１ｂに溶着等で固定されている。
ハンドル止着部２の上端部２ｂは容器本体１の開口上部より上方に突出されている。
【００１３】
ハンドル３は、例えばエチレン酢酸ビニ−ル等の合成樹脂製でＵ字状をしており、上方に起立させた時Ｕ字状の形状を維持したままの硬さを有している。
形状は握り部３ａと杆部３ｂ、３ｂとでＵ字状に形成され、杆部３ｂ、３ｂの先に内向きの回動部３ｃ、３ｃと球状の抜け止め部３ｄ、３ｄが形成されている。
回動部３ｃ、３ｃは断面外形が楕円形に形成されている。
回動部３ｃ、３ｃは、ハンドル止着部２の下端部２ａが折り返し部１ｄと周面１ｂに溶着等で固定される前に透孔２ｄに挿入される。
【００１４】
釣り用容器の容器本体１が折り畳まれる時は、容器本体１の上方の開口１ａ側に対して底面１ｃ側が回動されると、溝状の折り目１ｅがへこんで高さ方向で折り畳まれ、折り畳まれた周面１ｂを介して開口１ａと底面１ｃが向い合う様に重合された状態になって折り畳みが完了する。
【００１５】
前記のように釣り用容器が構成されると、容器本体１に薄肉に形成した溝状の折り目１ｅを設けたため、外周面の歪が少なく容器本体１を広く広げることが出来ると共に、折り目１ｅに沿って容易に折り畳むことが出来る。
折り目１ｅが形成された容器本体１の周面１ｂの面は折り目１ｅの部分がへこんで形成されており、従来例の実公平４−４３１９１号公報の水汲みバケツのように折り目１ｅに向けて変位する傾斜面等を有しないので、容器本体１を広げた状態でこれを形成する合成樹脂シ−トの弾性で容器本体１が自立することが出来、また、水を入れた状態でも自立状態を維持することが出来る。
【００１６】
図４、図５は第２実施例で、図４は釣り用容器の斜視図、図５は釣り用容器が折り畳まれた斜視図である。
【００１７】
第２実施例の釣り用容器は、開口が正方形の容器本体１′の上方の開口１ａの側の周面１ｂに対向してハンドル５の止着部５ａ、５ａが固定されている。
容器本体１′は、例えばエチレン酢酸ビニ−ルや塩化ビニ−ル等の合成樹脂製シ−トで形成され防水性と柔軟性を有している。
容器本体１′は周囲の側面１ｂの一側と他側が重ねられて高周波溶着等で溶着固定され、側面１ｂの下端に底面１ｃの周囲が重ねられて高周波溶着等で溶着固定されて直方体に形成されている。
【００１８】
容器本体１′の周面１ｂの開口縁に図示しない金属線がシ−ト材で包み込まれ、周面１ｂは開口１ａにおいて内側から外側へ折り返されて折り返し部１ｄが周面１ｂに縫着や高周波溶着等で固定されている。
開口が正方形の容器本体１′の周面１ｂの各面には、溝状の折り目１ｆが形成されているため対向位置に設けられていることとなり、薄肉に形成した溝状の折り目１ｆが一方の上側から他方の下側に掛けて傾斜して形成されて容器本体１′は高さ方向で折り畳み可能に形成されて開口１ａと底面１ｃが向い合うようにして折り畳みが完了する。
溝状の折り目１ｆは主に熱プレスや高周波成形で形成されている。
【００１９】
ハンドル５は、例えばエチレン酢酸ビニ−ル等でＵ字状をしており、柔軟性を有しながら、容器本体１′の開口側に倒伏可能にした時でも真下に垂れ下がることなく、少なくとも対向する側の内側面方向を向くように形状が保持される程度の硬さを有している。
形状は止着部５ａ、５ａと蛇腹部５ｂ、５ｂと杆部５ｃ、５ｃと握り部５ｄでＵ字状に形成されている。
【００２０】
釣り用容器の容器本体１′が折り畳まれる時は、容器本体１′の上方の開口１ａ側に対して底面１ｃ側が回動されると、溝状の折り目１ｆがへこんで高さ方向で折り畳まれる。
【００２１】
図６、図７は第３実施例で、図６は釣り用容器の斜視図、図７は釣り用容器が折り畳まれた斜視図である。
【００２２】
第３実施例の釣り用容器は、開口が長方形の容器本体１″の上方の開口１ａの側の周面１ｂに対向してハンドル５の止着部５ａ、５ａが固定されている。
容器本体１″は、例えばエチレン酢酸ビニ−ルや塩化ビニ−ル等の合成樹脂製シ−トで形成され防水性と柔軟性を有している。
容器本体１″は周囲の側面１ｂの一側と他側が重ねられて高周波溶着等で溶着固定され、側面１ｂの下端に底面１ｃの周囲が重ねられて高周波溶着等で溶着固定されて直方体に形成されている。
【００２３】
容器本体１″の周面１ｂの開口縁に図示しない金属線がシ−ト材で包み込まれ、周面１ｂは開口１ａにおいて内側から外側へ折り返されて折り返し部１ｄが周面１ｂに縫着や高周波溶着等で固定されている。
開口が長方形の容器本体１″の周面１ｂの各面には、薄肉に形成した溝状の折り目１ｇが一方の上側から他方の下側に掛けて傾斜して形成されて容器本体１″は高さ方向で折り畳み可能に形成されている。
溝状の折り目１ｇは主に熱プレスや高周波成形で形成されている。
他の構成は前記第２実施例と略同一である。
【００２４】
釣り用容器の容器本体１″が折り畳まれる時は、溝状の折り目１ｇが内側に押されてへこまされると高さ方向で折り畳まれる。
【００２５】
前記説明では、溝状の折り目を周面１ｂの外側がへこむように図示したが、周面１ｂの内側がへこむようにしてもよい。
第１〜３実施例では容器本体の開口と底面が向い合うように重合して折り畳まれたが、折り畳み状態はこれに限らず周面の対向する面が向い合うように重合して折り畳むようにしてもよい。
【００２６】
【発明の効果】
本発明は、以上説明したような形態で実施され、以下に記載されるような効果を奏する。
【００２７】
請求項１により、容器本体に薄肉に形成した溝状の折り目を設けたため、折り目に沿って容易に折り畳むことが出来ると共に、容器本体を広げた状態で容器本体が自立することが出来る。
請求項２により、折り目が容器本体の少なくとも周面の対向位置に設けられていると、対向する周面を一緒に折曲して容易に折り畳むことが出来る。
【図面の簡単な説明】
【図１】第１実施例で、釣り用容器の斜視図である。
【図２】同釣り用容器が折り畳まれた斜視図である。
【図３】同釣り用容器のハンドル止着部と容器本体の断面側面図と（ａ）はハンドルとハンドル止着部の拡大断面側面図で（ｂ）は容器本体の要部拡大断面側面図である。
【図４】第２実施例で、釣り用容器の斜視図である。
【図５】同釣り用容器が折り畳まれた斜視図である。
【図６】第３実施例で、釣り用容器の斜視図である。
【図７】同釣り用容器が折り畳まれた斜視図である。
【符号の説明】
１、１′、１″  容器本体
１ｂ  周面
１ｅ、１ｆ、１ｇ  溝状の折り目
【図１】
0004498646.tif 000002
【図２】
0004498646.tif 000003
【図３】
0004498646.tif 000004
【図４】
0004498646.tif 000005
【図５】
0004498646.tif 000006
【図６】
0004498646.tif 000007
【図７】
0004498646.tif 000008